(57)【要約】【課題】  光源から出射される光の透明樹脂基板に対する入射角度が大きい場合に発生する、輝度むら、色むらを低減する。【解決手段】  バックライト装置内の光源２１と拡散板１４１との間に配置される光透過性基体３０に対して、その光源２１から出射された入射角度θの大きな主光線Ｌ０が照射される部分にその主光線Ｌ０が通過できる孔３２を設ける構成とした。【選択図】        図６
2006309980.tif 000002
【特許請求の範囲】
【請求項１】
光源と光学機能構造物との間に光透過性基体が配置され、
前記光透過性基体は、前記光源から出射された入射角度の大きな主光線が照射される部分に孔が設けられて成る
ことを特徴とするバックライト装置。
【請求項２】
前記光透過性基体の孔は、上記光源から出射される光の輝度分布に対応した位置及び形状に形成されて成る
ことを特徴とする請求項１に記載のバックライト装置。
【請求項３】
前記光透過性基体には、上記光源から直上方向に出射される光の透過量を低減するための加工が施されている
ことを特徴とする請求項１に記載のバックライト装置。
【請求項４】
前記光源は発光ダイオードである
ことを特徴とする請求項１に記載のバックライト装置。
【請求項５】
前記光学機能構造物は、少なくとも前記光源が発する光の入射面に拡散板が配されて成る
ことを特徴とする請求項１に記載のバックライト装置。
【請求項６】
透過型の液晶表示パネルと、上記液晶表示パネルを背面側から照明するバックライト装置とを備えて成る液晶表示装置において、
上記バックライト装置は、光源と光学機能構造物との間に光透過性基体が配置され、
前記光透過性基体は、前記光源から出射される入射角度の大きな光が照射される部分に孔が設けられて成る
ことを特徴とする液晶表示装置。
【発明の詳細な説明】
【技術分野】
【０００１】
本発明は、液晶表示パネルを背面から照明するバックライト装置と、このバックライト装置を使用する液晶表示装置に関する。
【背景技術】
【０００２】
近年、テレビジョン受像機用の表示装置として、ＣＲＴ（Cathode Ray Tube、陰極線管）に代わり、液晶表示装置（ＬＣＤ：Liquid Crystal Display）や、プラズマディスプレイ（ＰＤＰ：Plasma Display Panel）などの非常に薄型化された表示装置が提案され、実用化されている。特に、液晶表示パネルを用いた液晶表示装置は、低消費電力での駆動が可能であることや、大型の液晶表示パネルの低価格化などに伴い普及が進み、技術的な研究開発が進められている。
【０００３】
このような液晶表示装置においては、カラーフィルタを備えた透過型の液晶表示パネルを背面側から面状に照明するバックライト装置により照明することにより、カラー画像を表示させるバックライト方式が主流となっている。
バックライト装置の光源としては、蛍光管を使った白色光を発光する冷陰極蛍光管（ＣＣＦＬ：Cold Cathode Fluorescent Lamp）や、発光ダイオード（ＬＥＤ：Light Emitting Diode）が有望視されている。
特に、青色発光ダイオードの開発により、光の三原色である赤色光、緑色光、青色光をそれぞれ発光する発光ダイオードが揃ったことになり、これらの発光ダイオードから出射される赤色光、緑色光、青色光を混色することで、色純度の高い白色光を得ることができる。したがって、この発光ダイオードをバックライト装置の光源とすることにより、液晶表示パネルを介した色純度が高くなるため、色再現範囲をＣＣＦＬと比較して大幅に広げることができる。更に、高出力の発光ダイオードチップ（ＬＥＤチップ）を使用することによって、バックライト装置の輝度を大幅に向上させることができる。
【０００４】
このような発光ダイオードを利用して、例えば直下型、すなわち発光ダイオードを光出射面の直下に配置するバックライト装置が提案されている（例えば非特許文献１参照。）。
一般に、発光ダイオードを用いたバックライト装置は、薄型化するにつれその発光ダイオードの直上で当該発光ダイオードからの光線がそのまま見えてしまうホットスポットという現象が発生しやすくなる。このため、非特許文献１に記載のバックライト装置は、光透過性を有する透明樹脂基板に反射性インクをドット印刷、あるいは楕円状などに印刷してそのホットスポットのパターンを隠すことにより、輝度むら、色むらを低減させている。
【０００５】
【非特許文献１】日経エレクトロニクス（日経ＢＰ社）、2004年12月20日号（第 889号）第123〜130頁
【発明の開示】
【発明が解決しようとする課題】
【０００６】
ところで、非特許文献１に記載のバックライト装置において使用されている発光ダイオードは、発光ダイオードチップが発する光の多くを発光ダイオード側面に光路変更するレンズを設けている、所謂サイドエミッション型の発光ダイオードである。このサイドエミッション型の発光ダイオードは、主光線がほぼ水平方向、つまり光透過性樹脂に対する入射角が大きく、直上のホットスポットによる輝度むら、色むらの低減に寄与する。
【０００７】
しかしながら、上記透明樹脂基板は入射角が大きくなるにつれ反射率が大きくなり、例えば入射角８０度の光に関してその５０％以上を反射して反射シート側に戻してしまう。図１２に、透明樹脂基板に照射される光の入射角と反射率との関係の一例を示す。この例では透明樹脂基板としてゼオノア（登録商標）が使用されている。材料による若干の違いはあるものの、現在使用されている透明樹脂基体は同じ傾向の性質を有する。
【０００８】
図１３は、透明樹脂基板表面で光が反射する様子を示したものである。図１３に示すように、発光ダイオード２１から出射された入射角度θの光Ｌ０は、例えばθが８０度などの大きな値の場合、透明樹脂基板３３０の表面で約半分が反射され、光路を変換されて反射シート１２６に照射される。反射シート１２６の表面は拡散反射面となっているため、その反射光Ｌｒ０は反射シート１２６表面で拡散光Ｌｄ０となる。なお符号３１はパターン消し用のドット印刷である。
このように、発光ダイオード２１から透過樹脂基板３３０に対し比較的平行に近い角度で放射された光Ｌ０は、その大半が遠くまで伝播することなく角度を変換される。このため透明基板樹脂３３０を透過して拡散板１４１に到達する主光線Ｌｔ０の輝度がほぼ半分になり、かつ、透明樹脂基板３３０の屈折の効果により照射できる面積も小さくなってしまうため、輝度むら、色むらの原因になっていた。
【０００９】
本発明は斯かる点に鑑みてなされたものであり、光源から出射される光の透明樹脂基板に対する入射角度が大きい場合に発生する、輝度むら、色むらを低減することを目的とする。
【課題を解決するための手段】
【００１０】
上記課題を解決するため、本発明は、バックライト装置内の光源と光学機能構造物との間に配置されている光透過性基体に対して、その光源から出射された入射角度の大きな主光線が照射される部分にその主光線が通過できる孔を設ける構成とした。
【００１１】
上述の構成によれば、光源から出射された主光線を、光透過性基体に影響されることなくその光透過性基体の反対側、つまり拡散板など光学機能を備えた構造物へ到達させることができる。これにより、光源から出射された入射角度の大きな主光線を、薄い空間内でその照射強度を維持したまま拡散板の遠い部分に入射させることによって、一つの光源で広い面積を明るく照明し、輝度むら、色むらを低減することができる。
【発明の効果】
【００１２】
本発明のバックライト装置及びこれを用いる液晶表示装置によれば、光源から出射される光の透明樹脂基板に対する入射角度が大きい場合に発生する、輝度むら、色むらを低減できるという効果がある。
【発明を実施するための最良の形態】
【００１３】
以下本発明を実施するための最良の形態の例を説明するが、本発明は以下の例に限定されるものではない。
【００１４】
本発明は、例えば図１に示すような構成の透過型のカラー液晶表示装置１００に適用することができる。この透過型カラー液晶表示装置１００は、透過型のカラー液晶表示パネル１１０と、このカラー液晶表示パネル１１０の背面側に設けられたバックライト装置１４０とからなる。また、図示しないが、この透過型カラー液晶表示装置１００は、地上波や衛星波を受信するアナログチューナー、デジタルチューナーといった受信部、この受信部で受信した映像信号、音声信号をそれぞれ処理する映像信号処理部、音声信号処理部、音声信号処理部で処理された音声信号を出力するスピーカといった音声信号出力部などを備えていてもよい。
【００１５】
透過型のカラー液晶表示パネル１１０は、ガラス等で構成された２枚の透明な基板（ＴＦＴ基板１１１、対向電極基板１１２）を互いに対向配列させ、その間隙に、例えば、ツイステッドネマチック（ＴＮ）液晶を封入した液晶層１１３を設けた構成となっている。ＴＦＴ基板１１１には、マトリックス状に配列された信号線１１４と、走査線１１５と、この信号線１１４、走査線１１５の交点に配列されたスイッチング素子としての薄膜トランジスタ１１６と、画素電極１１７とが形成されている。薄膜トランジスタ１１６は、走査線１１５により、順次選択されると共に、信号線１１４から供給される映像信号を、対応する画素電極１１７に書き込む。一方、対向電極基板１１２の内表面には、対向電極１１８及びカラーフィルタ１１９が形成されている。
【００１６】
カラーフィルタ１１９は、各画素に対応した複数のセグメントに分割されている。例えば、図２に示すように、３原色である赤色フィルタＣＦＲ、緑色フィルタＣＦＧ、青色フィルタＣＦＢの３つのセグメントに分割されている。カラーフィルタ１１９の配列パターンは、図２に示すようなストライプ配列の他に、図示しないが、デルタ配列、正方配列などがある。
【００１７】
再び、図１を用いて、透過型カラー液晶表示装置１００の構成について説明をする。透過型カラー液晶表示装置１００は、このような構成の透過型のカラー液晶表示パネル１１０を２枚の偏光板１３１及び１３２で挟み、バックライト装置１４０により背面側から白色光を照射した状態で、アクティブマトリックス方式で駆動することによって、所望のフルカラー映像を表示させることができる。
【００１８】
バックライト装置１４０は、上記カラー液晶表示パネル１１０を背面側から照明する。図１に示すように、バックライト装置１４０は、ここでは図示していない光源や、光源から出射された光を白色光へと混色するためにバックライト筐体１２０内に光学機能構造物として、拡散板１４１、拡散板１４１上に重ねて配列される拡散シート１４２、プリズムシート１４３、偏光変換シート１４４といった光学機能シート群１４５などを備えた構成となっている。
拡散板１４１は、バックライト筐体１２０から出射された光を内部拡散させることで、面発光における輝度の均一化を行う。
【００１９】
一般に、光学機能シート群は、例えば、入射光を直交する偏光成分に分解する機能、光波の位相差を補償して広角視野角化や着色防止を図る機能、入射光を拡散させる機能、輝度向上を図る機能などを備えたシートで構成されており、バックライト装置１４０から面発光された光をカラー液晶表示パネル１１０の照明に最適な光学特性を有する照明光に変換するために設けられている。したがって、光学機能シート群１４５の構成は、上述した拡散シート１４２、プリズムシート１４３、偏光変換シート１４４に限定されるものではなく、様々な光学機能シートを用いることができる。
【００２０】
図３に、バックライト筐体１２０内の概略構成図を示す。この図３に示すように、バックライト筐体１２０は、赤色光を発光する赤色発光ダイオード２１Ｒ、緑色光を発光する緑色発光ダイオード２１Ｇ、青色光を発光する青色発光ダイオード２１Ｂを光源として用いる構成とする。例えば、赤色発光ダイオード２１Ｒで発光される赤色光、緑色発光ダイオード２１Ｇで発光される緑色光、青色発光ダイオード２１Ｂで発光される青色光のピーク波長は、それぞれ６４０ｎｍ、５３０ｎｍ、４５０ｎｍ程度とされる。赤色発光ダイオード２１Ｒ、青色発光ダイオード２１Ｂで発光される赤色光、青色光のピーク波長は、それぞれ６４０ｎｍから長波長側へ、４５０ｎｍから短波長側へシフトしてもよい。このようにピーク波長を、長波長側、短波長側へシフトさせると、色域を広げることができるため、カラー液晶表示パネルに表示させる画像の色再現範囲を拡大することができる。
なお、以下の説明において、赤色発光ダイオード２１Ｒ、緑色発光ダイオード２１Ｇ、青色発光ダイオード２１Ｂを総称する場合は、単に発光ダイオード２１と呼ぶ。
【００２１】
本例の発光ダイオード２１には、例えば上述した非特許文献１に記載されているようなレンズ形状の放射指向特性を有する発光ダイオードなど、主として横方向に光を放射するレンズ機能を有するサイドエミッティングタイプのものを使用する。
【００２２】
この発光ダイオード２１を、図３に示すように、基板２２上に所望の順番で列状に複数配列させることで、発光ダイオードユニット２１ｎ（ｎは、自然数。）が形成される。
発光ダイオードユニット２１ｎを形成するために、基板２２上に発光ダイオード２１を配列する順番は、図３に示すような、赤色発光ダイオード２１Ｒ、緑色発光ダイオード２１Ｇ、青色発光ダイオード２１Ｂを繰り返し単位とする最も基本的な配列の仕方や、図示しないが、例えば、緑色発光ダイオード２１Ｇを等間隔で配列させ、隣り合う緑色発光ダイオード２１Ｇの間に、赤色発光ダイオード２１Ｒ、青色発光ダイオード２１Ｂを交互に配列させるような順番など様々な配列の仕方がある。
【００２３】
またバックライト筐体１２０内への発光ダイオードユニット２１ｎの配列の仕方は、図３に示すように、発光ダイオードユニット２１ｎの長手方向が、水平方向となるように配列してもよいし、図示しないが、発光ダイオードユニット２１ｎの長手方向が垂直方向となるように配列してもよいし、両者を組み合わせても良い。
なお、発光ダイオードユニット２１ｎの長手方向を、水平方向或いは垂直方向とするように配列する手法は、従来までのバックライト装置の光源として利用していたＣＣＦＬの配列の仕方と同じになるため、蓄積された設計ノウハウを利用することができ、コストの削減や、製造までに要する時間を短縮することができる。
バックライト筐体１２０の内壁面１２０ａは、発光ダイオード２１から発光された光の利用効率を高めるために反射加工がなされた反射面、もしくは拡散処理された拡散面となっている。
【００２４】
図４に、透過型カラー液晶表示装置１００を組み上げた際に、図１に示す透過型カラー液晶表示装置１００に付したＸ−Ｘ線で切断した際の断面図を一部示す。図４に示すように、液晶表示装置１００を構成するカラー液晶表示パネル１１０は、透過型カラー液晶表示装置１００の外部筐体となる外部フレーム１０１と、内部フレーム１０２とによって、スペーサ１０３ａ及び１０３ｂを介して挟み込むように保持される。また、外部フレーム１０１と、内部フレーム１０２との間には、ガイド部材１０４が設けられており、外部フレーム１０１と、内部フレーム１０２によって挟まれたカラー液晶表示パネル１１０が長手方向へずれてしまうことを抑制している。
【００２５】
一方、透過型カラー液晶表示装置１００を構成するバックライト装置１４０は、上述したように光学機能シート群１４５が積層された拡散板１４１を備えている。また、拡散板１４１と、バックライト筐体１２０との間には、透明樹脂基体３０及び反射シート１２６が配されている。
【００２６】
反射シート１２６は、その反射面が、拡散板１４１の光入射面１４１ａと対向するように、且つ発光ダイオード２１の発光方向よりもバックライト筐体１２０側となるように配されている。反射シート１２６は、例えば、シート基材上に銀反射膜、低屈折率膜、高屈折率膜を順に積層することで形成された銀増反射膜などを用いることができる。この反射シート１２６は、主に発光ダイオード２１から発光され、その放射角度分布によって下向きに放射された光や、バックライト筐体１２０の反射加工を施され反射面とされた内壁面１２０ａにて反射された光などを反射する。反射シート１２６に拡散処理を施し、反射及び拡散させるようにしてもよい。
拡散板１４１は、バックライト筐体１２０に設けられたブラケット部材１０８で保持される。
【００２７】
そして、本発明のバックライト装置においては、図４に示すように、光源すなわちこの場合発光ダイオード２１に対向して、光透過性基体３０が拡散板１４１との間に配置され、この光透過性基体３０の光源すなわち発光ダイオード２１と対向する面に、各発光ダイオード２１から直上方向に出射される光の透過量を低減するための加工、例えば所定パターンのドット印刷３１が施されている。さらにこの透明樹脂基体３０は、発光ダイオード２１から出射される主光線を通過させるための孔３２が設けられている。透明樹脂基体は、例えばゼオノア（登録商標）又はアクリル樹脂などの光透過性樹脂から構成され、周知慣用技術を用いてバックライト筐体１２０に固定されている。この透明樹脂基体３０の具体構成については、後に詳述する。
【００２８】
このような構成の透過型カラー液晶表示装置１００は、例えば、図５に示すような駆動回路２００により駆動される。駆動回路２００は、カラー液晶表示パネル１１０や、バックライト装置１４０の駆動電源を供給する電源２１０、カラー液晶表示パネル１１０を駆動するＸドライバ回路２２０及びＹドライバ回路２３０、外部から供給される映像信号や、当該透過型カラー液晶表示装置１００が備える図示しない受信部で受信され、映像信号処理部で処理された映像信号が、入力端子２４０を介して供給されるＲＧＢプロセス処理部２５０、このＲＧＢプロセス処理部２５０に接続された画像メモリ２６０及び制御部２７０、バックライト装置１４０を駆動制御するバックライト駆動制御部２８０などを備えている。
【００２９】
この駆動回路２００において、入力端子２４０を介して入力された映像信号は、ＲＧＢプロセス処理部２５０により、クロマ処理などの信号処理がなされ、さらに、コンポジット信号からカラー液晶表示パネル１１０の駆動に適したＲＧＢセパレート信号に変換されて、制御部２７０に供給されるとともに、画像メモリ２６０を介してＸドライバ２２０に供給される。
また、制御部２７０は、上記ＲＧＢセパレート信号に応じた所定のタイミングで、Ｘドライバ回路２２０及びＹドライバ回路２３０を制御して、上記画像メモリ２６０からの映像信号とともにＸドライバ回路２２０に供給されるＲＧＢセパレート信号で、カラー液晶表示パネル１１０を駆動することにより、上記ＲＧＢセパレート信号に応じた映像を表示する。
【００３０】
バックライト駆動制御部２８０は、電源２１０から供給される電圧から、パルス幅変調
（ＰＷＭ）信号を生成し、バックライト装置１４０の光源である各発光ダイオード２１を駆動する。一般に発光ダイオードの色温度は、動作電流に依存するという特性がある。したがって、所望の輝度を得ながら、忠実に色再現させる（色温度を一定とする）には、パルス幅変調信号を使って発光ダイオード２１を駆動し、色の変化を抑える必要がある。
【００３１】
ユーザインターフェース３００は、上述した図示しない受信部で受信するチャンネルを選択したり、同じく図示しない音声出力部で出力させる音声出力量を調整したり、カラー液晶表示パネル１１０を照明するバックライト装置１４０からの白色光の輝度調節、ホワイトバランス調節などを実行するためのインターフェースである。
例えば、ユーザインターフェース３００から、ユーザが輝度調節をした場合には、駆動回路２００の制御部２７０を介してバックライト駆動制御部２８０に輝度制御信号が伝わる。バックライト駆動制御部２８０は、この輝度制御信号に応じて、パルス幅変調信号のデューティ比を、赤色発光ダイオード２１Ｒ、緑色発光ダイオード２１Ｇ、青色発光ダイオード２１Ｂ毎に変えて、赤色発光ダイオード２１Ｒ、緑色発光ダイオード２１Ｇ、青色発光ダイオード２１Ｂを駆動制御することになる。
【００３２】
次に、本発明のバックライト装置及び液晶表示装置において、所定位置に孔が設けられた光透過性基体の各例の概略構成について説明する。
【００３３】
（第１の実施形態例）
図６は、本発明によるバックライト装置の概念を示した断面模式図である。この例においては、光源すなわち発光ダイオード２１と拡散板１４１との間に配され、ドット印刷３１がパターニングされて成る光透過性基体３０に対し、発光ダイオード２１から出射される主光線Ｌ０が照射される部分に孔３２を設けている。この光透過性基体３０に孔３２を設けた点が、従来例と異なる。
【００３４】
上述したように、光透過性基体３０は入射角度θが大きい、例えば８０度の場合では約半分の光を反射シート１２６へ向かって反射してしまう（図１２参照）。しかし本例では、光透過性基体３０に対して、例えばサイドエミッション型の発光ダイオードから出射される例えば出射角度約８０度の主光線Ｌ０が照射される部分に孔３２を設けているため、主光線Ｌ０はこの光透過性基体３０の影響を受けことなくそのまま拡散板１４１の入射面１４１ａへ到達することができる。
その結果、輝度の低下や屈折による影響もなく、一つの発光ダイオードで広い面積を明るく照射することが可能となり、輝度むら、色むらを低減することができる。
【００３５】
この光透過性基体３０に開ける孔は様々な形態を考えることができる。図７は、直線状に配置された発光ダイオード２１の列（図３の発光ダイオードユニット２１ｎに相当）に対し平行なほぼ長方形の孔３２を左右対称に開けた例である。ここでは光透過性基体３０を斜線で、またその直下に配置されている発光ダイオード２１の位置を破線で表している。
なお、列状の発光ダイオード２１間の距離が大きい場合には、発光ダイオード２１から出射される主光線の入射角度を考慮し、発光ダイオード２１の列の間に孔３２を平行に２つ設けるようにしてもよい。
【００３６】
（第２の実施形態例）
図８は、発光ダイオードの等方性及び配列を考慮して形成した孔の例である。この図８に示すように、孔３３を、波線もしくはサイン（ｓｉｎ）カーブ等を利用して生成される形状、あるいは発光ダイオード２１軸中心からの距離が等しい線分を結んで生成されるような形状とすることができる。
【００３７】
（第３の実施形態例）
図９は、拡散板１４１の入射面１４１ａにおける各発光ダイオード２１の輝度分布に基づいて孔を形成した例である。本例では、発光ダイオード２１の周囲に、当該発光ダイオード２１に関し対称を成す略円弧状の孔３４ａ，３４ｂを設けている。
このような構成とした場合、上記第１及び第２の実施形態例による形状の孔と比較して、発光ダイオード２１の出射パターンに正確に対応しているので、より正確な輝度むら、色むらの制御が可能である。この入射面１４１ａで測定される輝度分布は、各発光ダイオードの放射指向特定、放射ばらつき、及び発光ダイオードの配列等によって変化する。
なお拡散板１４１の入射面１４１ａにおける輝度分布に基づいて、所定の位置及び形状の孔が形成されればよいので、この図９に示された形状に限らず、発光ダイオードの輝度分布に応じて種々の形態の孔が考えられる。
【００３８】
図１０は、図９に示された形態の変形例を示すものである。この例では、図９に示された孔３４ａを３等分するように架橋３４ａ１，３４ａ２を設け、孔３５ａ，３５ｂ，３５ｃを形成している。同様に、対称を成す孔３４ｂについても架橋３４ｂ１，３４ｂ２を設けて３等分し、孔３５ｄ，３５ｅ，３５ｆを形成する。
このような構成とした場合、図９の例と比較して、架橋を設置したことで光透過性基体３０の強度を向上させることができる。
【００３９】
図１１は、光透過性基体３０に主光線Ｌ０の入射方向に沿って穿設した例である。この場合、光透過性基体３０に設けられた孔４０は、主光線Ｌ０に沿って穿設されているので、主光線Ｌ０に垂直な方向の径が小さくなるとともに、光透過性基体３０表面における孔の形状の面積を小さくすることができる。
【００４０】
以上説明したように、本発明のバックライト装置及び液晶表示装置においては、光透過性基体に光源からの入射角度の大きな主光線が照射される部分に孔を設けることによって、主光線を光透過性基体に影響されることなく拡散板へ到達させることができる。そして、光源から出射された入射角度の大きな主光線を、薄い空間内でその照射強度を維持したまま拡散板の遠い部分に入射させることによって、一つの光源で広い面積を明るく照明し、輝度むら、色むらを低減することができる。
したがって、より均一な輝度を持って照明又は表示することが可能な、特性の優れたバックライト装置及び液晶表示装置を提供することができる。
【００４１】
なお、本発明は、上述した各実施の形態例に限定されるものではなく、その他本発明の要旨を逸脱しない範囲において、種々の変形、変更が可能であることは勿論である。
【図面の簡単な説明】
【００４２】
【図１】本発明を実施するための最良の形態として示す液晶表示装置の一例の概略分解斜視構成図である。
【図２】本発明を実施するための最良の形態として示す液晶表示装置に係る液晶表示パネルのカラーフィルタの一例の概略平面構成図である。
【図３】本発明を実施するための最良の形態として示す液晶表示装置に係るバックライト装置の概略斜視構成図である。
【図４】本発明を実施するための最良の形態として示す液晶表示装置の一例における概略断面構成図である。
【図５】本発明を実施するための最良の形態として示す液晶表示装置を駆動する駆動回路の一例の概略ブロック構成図である。
【図６】本発明によるバックライト装置の一実施形態例の要部の断面模式図である。
【図７】本発明によるバックライト装置の一実施形態例に係る光透過性基体の一例を示す図である。
【図８】本発明によるバックライト装置の一実施形態例に係る光透過性基体の一例を示す図である。
【図９】本発明によるバックライト装置の一実施形態例に係る光透過性基体の一例を示す図である。
【図１０】図９の例の変形例を示す図である。
【図１１】図６において、主光線の入射角度に沿って光透過性基体に孔を設けた例を示す図である。
【図１２】透明樹脂基板における光の入射角と反射率との関係を示す図である。
【図１３】従来例の説明に供する図である。
【符号の説明】
【００４３】
２１…発光ダイオード、３０…光透過性基体、３１，３３，３４ａ，３４ｂ，３５ａ，３５ｂ，３５ｃ，３５ｄ，３５ｅ，３５ｆ，４０…孔、１００…（カラー）液晶表示装置、１２６…反射シート、１４０…バックライト装置、１４１…拡散板
【図１】
2006309980.tif 000003
【図２】
2006309980.tif 000004
【図３】
2006309980.tif 000005
【図４】
2006309980.tif 000006
【図５】
2006309980.tif 000007
【図６】
2006309980.tif 000008
【図７】
2006309980.tif 000009
【図８】
2006309980.tif 000010
【図９】
2006309980.tif 000011
【図１０】
2006309980.tif 000012
【図１１】
2006309980.tif 000013
【図１２】
2006309980.tif 000014
【図１３】
2006309980.tif 000015